(57)【要約】【課題】  音声の案内を行うモードの場合に、ジョブ処理を実行するためにはテンキーから手を離して、スタートキーを押す必要がある。そのため目が不自由なユーザは、テンキーから手を離してスタートキーを探さなくてはならない。【解決手段】  表示部に表示されたフォーカスの位置に応じた案内を音声で行う音声モードにおいて、第１のハードキーが押されることでフォーカスを移動させる第１制御手段と、音声モードにおいて、第２のハードキーが押されることで、フォーカスの位置が合ったソフトキーに基づく処理を行う第２制御手段と、を有し、第２制御手段は、フォーカスの位置がソフトキーに合っていない状態で第２のハードキーが押されることで、ジョブの処理を開始することを特徴とする。【選択図】  図８
2018174499.tif 000002
【特許請求の範囲】
【請求項１】
第１のハードキーおよび第２のハードキーを含むハードテンキー部と、
操作を受け付けるソフトキーを複数表示する表示部と、
を有し、ジョブを処理するジョブ処理装置であって、
前記表示部に表示されたフォーカスの位置に応じた案内を音声で行う音声モードにおいて、前記第１のハードキーが押されることで前記フォーカスを移動させる第１制御手段と、
前記音声モードにおいて、前記第２のハードキーが押されることで、前記フォーカスの位置が合った前記ソフトキーに基づく処理を行う第２制御手段と、を有し、
前記第２制御手段は、前記フォーカスの位置が前記ソフトキーに合っていない状態で前記第２のハードキーが押されることで、前記ジョブの処理を開始することを特徴とするジョブ処理装置。
【請求項２】
前記表示部は、前記ソフトキーを含む領域を表示し、
前記音声モードにおいて、前記第１のハードキーが押されることで前記領域に前記フォーカスの位置を合わせ、前記領域に前記フォーカスの位置が合った状態で前記第２のハードキーが押されることで、前記第２の制御手段は、前記ジョブの処理を開始することを特徴とする請求項１に記載のジョブ処理装置。
【請求項３】
前記領域に前記フォーカスの位置が合った状態において、前記表示部は、前記フォーカスが前記領域を強調表示することを特徴とする請求項２に記載のジョブ処理装置。
【請求項４】
前記領域に前記フォーカスの位置が合った状態において、前記ジョブの処理の開始に関する報知または前記フォーカスの位置が前記領域に合ったことの報知を行う報知手段をさらに有することを特徴とする請求項２または３に記載のジョブ処理装置。
【請求項５】
前記ジョブ処理装置を前記音声モードにした後、前記フォーカスが最初に表示される位置である初期位置に、前記フォーカスが合った状態で、前記第１のハードキーが１回押されることで、前記第１の制御手段は、前記フォーカスの位置を前記領域に合わせるように移動させることを特徴とする請求項２乃至４のいずれか１項に記載のジョブ処理装置。
【請求項６】
前記フォーカスの移動の順序が記憶された記憶部を有し、
前記ハードテンキー部は第３のハードキーを含み、
前記第１のハードキーが押されることで、前記順序の逆に沿って、前記フォーカスの位置が移動し、
前記第３のハードキーが押されることで、前記順序に沿って、前記フォーカスの位置が移動することを特徴とする請求項５に記載のジョブ処理装置。
【請求項７】
画像データに基づいた画像を用紙に印刷する印刷手段を有し、
前記ジョブの処理は、前記印刷手段が前記画像データに基づく画像の前記用紙への印刷を開始する処理であることを特徴とする請求項１乃至６のいずれか１項に記載のジョブ処理装置。
【請求項８】
原稿の画像を読み取って画像データを生成する読み取り手段を有し、
前記ジョブの処理は、前記読み取り手段が前記原稿の画像の読み取りを開始する処理であることを特徴とする請求項１乃至６のいずれか１項に記載のジョブ処理装置。
【請求項９】
前記第２制御手段は、前記フォーカスの位置が前記ソフトキーに合っていない第１の状態で前記第２のハードキーが押されることで前記ジョブの処理を開始し、
前記第２制御手段は、前記フォーカスの位置が前記ソフトキーに合っていない第２の状態で前記第２のハードキーが押されることで前記ジョブの処理の設定値をリセットすることを特徴とする請求項２乃至８のいずれか１項に記載のジョブ処理装置。
【請求項１０】
第１のハードキーおよび第２のハードキーを含むハードテンキー部と、
操作を受け付けるソフトキーを複数表示する表示部と、
を有し、ジョブを処理するジョブ処理装置の制御方法であって、
前記表示部に表示されたフォーカスの位置に応じた案内を音声で行う音声モードにおいて、前記第１のハードキーが押されることで前記フォーカスを移動させる第１制御工程と、
前記音声モードにおいて、前記第２のハードキーが押されることで、前記フォーカスの位置が合った前記ソフトキーに基づく処理を行う第２制御工程と、を有し、
前記第２制御工程は、前記フォーカスの位置が前記ソフトキーに合っていない状態で前記第２のハードキーが押されることで、前記ジョブの処理を開始することを特徴とするジョブ処理装置の制御方法。
【請求項１１】
請求項１０に記載の制御方法を、コンピュータに実行させるためのプログラム。
【請求項１２】
請求項１１に記載のプログラムを保存したコンピュータで読み取り可能な記憶媒体。
【発明の詳細な説明】
【技術分野】
【０００１】
本発明は、ジョブ処理装置、ジョブ処理装置の制御方法、プログラムおよび記録媒体に関する。
【背景技術】
【０００２】
複合機（ＭＦＰ）等のジョブ処理装置では、目の不自由なユーザが使用しやすいように、音声ガイダンスによってユーザの操作を支援する技術が知られている。
【０００３】
特許文献１では、音声ガイダンスによる操作補助が行われるフォーカス表示モードと、音声ガイダンスによる操作補助を行わない通常モードとを有する情報入力装置が開示されている。フォーカス表示モードの場合には、テンキーに、フォーカスを移動させるカーソルキーの機能を割り当てて、表示部に表示された複数のソフトキーのうち選択したいキーにフォーカスを合わせることを可能にしている。そして、情報処理装置は、フォーカスが合ったソフトキーの機能を読み上げている。
【先行技術文献】
【特許文献】
【０００４】
【特許文献１】特開２００６−０３１２７３号公報
【発明の概要】
【発明が解決しようとする課題】
【０００５】
しかしながら音声の案内を行うモードの場合に、ユーザは、ジョブ処理を実行するためにはテンキーから手を離して、スタートキーを押す必要がある。そのため目が不自由なユーザは、テンキーから手を離してスタートキーを探さなくてはならない。
【０００６】
本発明のジョブ処理装置は、このような課題に鑑み、音声の案内を行う音声モードにおいて、ジョブ処理を実行する際にスタートキーを探さなくても容易にジョブの処理を実行することを可能にすることを目的とする。
【課題を解決するための手段】
【０００７】
本発明は、第１のハードキーおよび第２のハードキーを含むハードテンキー部と、操作を受け付けるソフトキーを複数表示する表示部と、を有し、ジョブを処理するジョブ処理装置であって、表示部に表示されたフォーカスの位置に応じた案内を音声で行う音声モードにおいて、第１のハードキーが押されることでフォーカスを移動させる第１制御手段と、音声モードにおいて、第２のハードキーが押されることで、フォーカスの位置が合ったソフトキーに基づく処理を行う第２制御手段と、を有し、第２制御手段は、フォーカスの位置がソフトキーに合っていない状態で第２のハードキーが押されることで、ジョブの処理を開始することを特徴とする。
【発明の効果】
【０００８】
音声の案内を行う音声モードにおいて、ジョブ処理を実行する際にスタートキーを探さなくても容易にジョブの処理を実行することが可能である。
【図面の簡単な説明】
【０００９】
【図１】画像処理装置のハードウェア構成を示す図
【図２】画像処理装置の機能構成を示す図
【図３】操作部の外観構成を示す図
【図４】通常モードにおける操作画面、コピー可能な状態か否かについての判定フローチャートおよび通常モードにおけるコピーのフローチャートを示す図
【図５】音声モードにおける操作画面およびフォーカス移動表
【図６】画像処理装置を音声モードと通常モードに設定する際のフローチャートおよびソフトキーの詳細設定をする際のフローチャート
【図７】従来の音声モードにおけるコピーのフローチャートおよび従来の課題を説明する操作画面
【図８】課題を解決するための操作画面および課題を解決するためのコピーのフローチャート
【図９】フォーカスがダイアログに合わされるためのフォーカス移動方法を示すフローチャート
【図１０】フォーカス移動表、フォーカス対象のダイアログと処理内容の対応表、フォーカス対象のダイアログに対応した処理のフローチャート
【発明を実施するための形態】
【００１０】
（実施例１）
図１は、ジョブ処理装置に含まれる画像処理装置のハードウェア構成の一例を示す図である。本実施例における画像処理装置は、例えば、コピー機能、印刷機能、スキャン送信機能等の機能を含む、いわゆる複合機（ｍｕｌｔｉ  ｆｕｎｃｔｉｏｎ  ｐｅｒｉｐｈｅｒａｌ）である。画像処理装置は、スキャナ１０６、プリンタ１０８を有する。
【００１１】
ＣＰＵ１０１は、この画像処理装置全体を制御する中央処理装置である。ＣＰＵ１０１は、データバスなどのバス１０４によって、各部と接続されている。ＲＯＭ１０２は、ブートプログラムやＢＩＯＳ等の固定的なプログラムおよびデータを記憶している。ＲＡＭ１０３は、主記憶装置およびＣＰＵ１０１による処理実行のための作業領域を提供する作業用メモリとして機能する。また、このＲＡＭ１０３はスキャナ１０６によるスキャンによって生成された画像データを一時的に保存する際にも使用される。
【００１２】
スキャナコントローラ１０５は、後述する操作部１２０による設定内容に応じてスキャナ１０６の動作を制御する。スキャナ１０６は、ＣＣＤなどの光学読取装置を用いて紙などの原稿の走査を行い、原稿の画像を電気信号データに変換する。
【００１３】
プリンタコントローラ１０７は、操作部１２０による設定内容に応じてプリンタ１０８を制御して、印刷動作を行わせる。プリンタ１０８は、画像データに基づく画像を用紙上に印字するものである。印刷の方式としては、感光体ドラムや感光体ベルトなどを用いた電子写真方式や、微小ノズルアレイからインクを吐出して用紙上に直接画像を印字するインクジェット方式などがあるが、どの方式でもかまわない。
【００１４】
ハードディスクコントローラ１０９は、記憶デバイスの一例であるハードディスク装置（ＨＤＤ）１１０を制御し、ＨＤＤ１１０にさまざまなデータを保存したり、保存したデータを取得したりする。このＨＤＤ１１０は記憶部であり、このシステム全体を制御するための制御プログラムや制御用データ、画像データ、あるいは印刷データなどが保存される。
【００１５】
ネットワークインタフェース１２２は、ネットワーク（ＬＡＮ）に接続され、データの入出力を行う。なお、不図示のモデム（ＭＯＤＥＭ）が、公衆回線に接続し、ＦＡＸの送受信等のデータの入出力を行ってもよい。
【００１６】
操作部１２０は、図示のように、表示部１２１およびハードウェアで構成されるキー（以下、ハードキー１１３）を含む構成である。表示部１２１は、タッチパネル１１２、および表示デバイスの一例であるＬＣＤ１１５を含む構成である。
【００１７】
タッチパネル１１２はＬＣＤ１１５の表示面上に配される。タッチパネル１１２は、ＬＣＤ１１５上により表示された仮想的なキーであるタッチパネルキー（以下、ソフトキー）を複数表示する。ユーザがソフトキーに触れると、タッチパネル１１２がその接触した位置の座標を検出する。この位置座標を基に、ユーザがＬＣＤ１１５上のどの仮想キーを押そうとしたのかをＣＰＵ１０１が判断する。一方、ハードキー１１３は、ユーザに操作感を与えるように機械的に構成されたものである。具体的には、図３で後述する２０３〜２１１、２３３である。
【００１８】
タッチパネルコントローラ１１１は、タッチパネル１１２を介して入力されたユーザの操作指示をＣＰＵ１０１に伝える。また、ＬＣＤコントローラ１１４はＬＣＤ１１５を制御して設定操作画面を表示させる。
【００１９】
本実施形態における画像処理装置はさらに、Ｄ／Ａコンバータ１１６、パワーアンプ１１７、スピーカ１１８を備えている。制御プログラムの動作によって、テキストデータおよび音素データに基づいて音声波形データが作成され、Ｄ／Ａコンバータ１１６およびパワーアンプ１１７を介してスピーカ１１８より音声を出力させることが可能である。
【００２０】
画像処理装置は、スキャナ１０６で読み取った原稿の画像データに基づいて画像をプリンタ１０８で印刷する印刷ジョブや、スキャナ１０６で読み取った原稿の画像データをネットワーク（ＬＡＮ）を介して送信する読取ジョブ等のジョブを実行する。
【００２１】
図２は、本実施例における画像処理装置の機能構成の一例を示す図である。破線３００で囲まれる各制御部の機能はＨＤＤ１１０に記憶されている制御プログラムによって実現される。また、以下に説明する機能の実現に使用される各種データはＨＤＤ１１０またはＲＡＭ１０３によって保持されるものである。
【００２２】
入力制御部３０１は、タッチパネル１１２とハードキー１１３からのユーザ入力を検出し、画面表示座標データ３０５をもとに、ユーザがどのソフトキーやハードキーに対して操作を行ったのかを判定する。その判定結果は、フォーカス制御部３０２および画面移動制御部３０３に送られる。
【００２３】
フォーカス制御部３０２は、ＬＣＤ１１５に表示される複数のソフトキーのうちどのキーが操作対象であるかを示すフォーカスを制御する。具体的には、どのキーにフォーカスが位置しているかを記憶し、フォーカス移動順データ３１５のデータをもとに、フォーカスの移動等を制御する。また、フォーカス制御部３０２は、どのキーにフォーカスが位置しているかを画面表示制御部３０４に通知する。
【００２４】
画面移動制御部３０３は、実際にキーが押された場合に、画面移動データ３１１をもとに、次に表示されるべきダイアログや画面への移動を制御する。画面の移動に関する設定値やフォーカス表示を行うかどうかのモード設定もこの画面移動制御部３０３が記憶している。
【００２５】
また、画面移動制御部３０３は、表示している画面情報をフォーカス制御部３０２、画面表示制御部３０４、および音声テキストデータ制御部３０７に通知する。画面移動制御部３０３はさらに、フォーカス制御部３０２や音声テキストデータ制御部３０７に、フォーカス表示を行うモードであるかどうかの情報を通知することも行う。
【００２６】
画面表示制御部３０４は、画面移動制御部３０３からの画面に関するデータと、画面構成画像データ３０６をもとに、実際にＬＣＤ１１５に表示される画面のイメージデータを作成する。また、必要に応じて、フォーカス制御部３０２からのデータをもとに、画面に配された特定のキーに対してフォーカスを描画する。画面表示制御部３０４はまた、ＬＣＤ１１５に対して画面のイメージデータを描画させる。
【００２７】
音声テキストデータ制御部３０７は、画面移動制御部３０３からの画面移動情報と、各画面やキーに関連付けられた音声テキストデータ３１２を得る。そして、ユーザから入力された操作に対して何らかの画面移動やフォーカス移動があった場合には、その説明としてふさわしい音声読み上げ用のテキストデータを音声テキストデータ３１２より取得する。その後、音声テキストデータ制御部３０７は、取得した音声テキストデータを音声合成発声データ制御部３０８に渡す。
【００２８】
音声合成発声データ制御部３０８は、入力した音声テキストデータと、音素ごとの発声データ３１３をもとに、音声合成により音声波形データを作成し、それを音声出力制御部３０９に渡す。
【００２９】
音声出力制御部３０９は、受け取った音声波形データをＤ／Ａコンバータ１１６に出力する。これにより音声波形データはＤ／Ａコンバータ１１６でＤ／Ａ変換され、パワーアンプ１１７で増幅された後、スピーカ１１８より出力される。
【００３０】
図３（ａ）は、本実施例における操作部１２０の外観構成の一例を示す図である。同図において、ＬＣＤ１１５上にはタッチパネル１１２が重ねて設けられている。ＬＣＤ１１５はシステムの操作画面およびソフトキーを表示し、タッチパネル１１２はソフトキーが押されるとその位置情報をＣＰＵ１０１に伝える。
【００３１】
２０３〜２１１、２３３はそれぞれ、ハードキー１１３として構成されるもので、具体的なそれぞれの機能は次のとおりである。
【００３２】
スタートキー２０３は、スキャナ１０６による原稿画像の読み取り動作や、プリンタ１０８によるプリント動作などを開始する時に用いる。ストップキー２０４は稼働中の動作を止める働きをする。
【００３３】
スタートキー２０３の中央部には、二色ランプ２３４が配され、スタートキー２０３が有効か無効かを示す。スタートキー２０３が有効とは、スタートキー２０３によるジョブの実行指示が可能な状態をいい、スタートキー２０３が無効とは、スタートキー２０３によるジョブの実行指示ができない状態をいう。具体的には、例えば、緑色のときには、スタートキー２０３が有効であり、赤色のときには、スタートキー２０３が無効である。
【００３４】
リセットキー２０５は設定を初期化する時に用いる。ハードテンキー部２０６は通常、コピー部数の設定時など、数値の入力を行う際に用いる。クリアキー２０７は、入力された数値をクリアしたいときに用いる。ガイドキー２０９は、設定や入力方法について、キーの機能以外のヘルプを表示するときに用いる。
【００３５】
音声モードキー２３３は、音声モードを開始あるいは終了する際に用いられる。音声モードとは、操作を補助するための案内を音声によって行うモードである。なお音声による操作を補助するための案内を行わないモードを、通常モードとする。通常モード時に音声モードキー２３３が押されることで、ＣＰＵ１０１が画像処理装置を通常モードから音声モードに切り替える。また、音声モード時に音声モードキー２３３が押されることで、ＣＰＵ１０１が画像処理装置を音声モードから通常モードに切り替える。
【００３６】
ＩＤキー２０８は、ユーザＩＤを入力する時に用いられる。ユーザモードキー２１０は、画像処理装置の動作に関する特殊な設定や詳細な設定を行うときに用いる。カウンタキー２１１は、画像処理装置がプリントした用紙の枚数を確認するときに用いる。節電キー２１２は、画像処理装置を待機状態にし、消費電力を抑えたいときに用いる。電源キー２１３は、装置の電源をＯＮまたはＯＦＦするときに用いる。
【００３７】
なお、図３（ａ）では、音声モードキー２３３を配する構成を示したが配さなくてもよい。その場合には、例えばＩＤキー２０８やリセットキー２０５の長押しによって通常モードと音声モードとを切り替える。
【００３８】
図３（ｂ）は、ハードテンキー部２０６を詳細に示す図である。ハードテンキー部２０６は、２０６０〜２０６９の１０個の独立したハードキーで構成される。各キーには文字または記号（図示の例では数字の０〜９のいずれか）が対応付けられている。ユーザはこれらのキーによって、所望する数字を入力することができる。また、テンキーのほぼ中央に位置する「５」キー２０６５の表面には、物理的な突起物２２０が存在する。この突起物２２０と一般的なキーの配列により、目の不自由なユーザは、触感を頼りにテンキーを容易に探し出し、扱うことが可能になっている。
【００３９】
図４は、本実施例の通常モードにおける操作画面の一例およびコピーのフローチャートの一例を示す。図４（ａ）は、通常モードにおいてコピーを行う場合の画像処理装置の操作画面である。
【００４０】
ダイアログ５０１は、表示部１２１に表示される画面である。ダイアログ５０１は、他の部品の土台となり、ダイアログ５０１の上にはダイアログ５１２が表示されている。ダイアログ５１２の上には、各ソフトキーが表示されている。ユーザがソフトキーを押すと、画像処理装置は各ソフトキーに設定された機能に従って動作する。
【００４１】
ここで、押すとは、表示部１２１においてソフトキーが表示された領域上のタッチパネル１１２上の領域を押すことを言う。なお、ここではタッチパネルが感圧式の場合を示したが、タッチパネルが静電式の場合には、「押す」ではなく「タッチ」となる。そして、ソフトキーは、押状態と非押状態とを異なった形態で示す。例えば、非押状態のソフトキーを凸形状の視覚効果を持つように表示し、押状態のソフトキーを凹形状の視覚効果を持つように表示する。あるいは、押状態のソフトキーを非押状態と黒白反転して表示する等である。
【００４２】
次に各ソフトキーの機能について説明する。カラー選択キー（以下、カラー選択）５０２は、コピー時のカラー選択の設定を行うためのソフトキーである。ユーザがカラー選択５０２を押すと、カラー選択設定のための詳細ダイアログ（不図示）が開き、カラーコピーを行うかモノクロコピーを行うかといった設定を行うことが出来る。
【００４３】
倍率キー（以下、倍率）５０３は、倍率設定を行うためのキーである。ユーザが倍率５０３を押すと、倍率設定の詳細ダイアログ（不図示）が開き、拡大コピーや縮小コピーの倍率を設定できる。
【００４４】
用紙選択キー（以下、用紙選択）５０４は、用紙選択設定を行うためのキーである。ユーザが用紙選択５０４を押すと、用紙選択設定の詳細ダイアログ（不図示）が開き、コピーに使用する用紙を設定できる。
【００４５】
仕上げキー（以下、仕上げ）５０５は、仕上げ設定を行うためのキーである。ユーザが仕上げ５０５を押すと、仕上げ設定の詳細ダイアログ（不図示）が開き、折りやソートやステープルといった仕上げの設定を行うことが出来る。
【００４６】
両面キー（以下、両面）５０６は、両面設定を行うためのキーである。ユーザが両面５０６を押すと、両面設定の詳細ダイアログ（不図示）が開き、両面コピーの設定を行うことが出来る。
【００４７】
濃度キー（以下、濃度）５０７は、濃度設定を行うためのキーである。ユーザが濃度５０７を押すと、濃度設定の詳細ダイアログ（不図示）が開き、コピーの濃度を設定できる。
【００４８】
原稿種類キー（以下、原稿種類）５０８は、原稿の種類の設定を行うためのキーである。ユーザが原稿の種類５０８を押すと、原稿の種類設定の詳細ダイアログ（不図示）が開き、原稿の種類を設定できる。
【００４９】
部数入力フィールド５０９は、数値入力フィールドと呼ばれる領域である。ユーザがハードテンキー部２０６の操作によって数値を入力すると、入力された数値が部数入力フィールド５０９に表示される。部数入力フィールド５０９は、コピーの部数を入力するためのフィールドであり、ユーザの入力した部数分だけ画像がプリントアウトされる。
【００５０】
メッセージフィールド５１０は、テキストフィールドあるいはテキストと呼ばれる領域である。メッセージフィールド５１０の表示内容は、ＭＦＰを制御するプログラムによって制御される。メッセージフィールドはユーザに対して情報を提示するための領域である。メッセージフィールド５１０には、例えば「コピーできます。」や「原稿をセットし直してください。」といった画像処理装置の状態やユーザへの指示が表示される。
【００５１】
図４（ａ）に示した画面表示はエラーが発生していな状態である。内部エラー等が無い状態のためスタートキー２０３が有効となり、スタートキー２０３が押されると画像処理装置はコピーを開始する。一方、用紙無し等の何らかのエラーが発生した状態においてスタートキー２０３が無効状態となり、この状態でユーザがスタートキー２０３を押しても画像処理装置はコピーを開始しない。
【００５２】
図４（ｂ）を用いて画像処理装置がコピー可能な状態であるか否かについての判定フローチャートを説明する。
【００５３】
まずステップＳ６０１において、ＣＰＵ１０１は、画像処理装置の状態を検出する。画像処理装置の状態は、画像処理装置に搭載された各種センサ（不図示）の検出値によって決定される。各種センサで検出されるものの例として、スキャナ１０６の原稿台への原稿載置の有無、プリンタ１０８のトナーやドラム寿命といった消耗品の状態等が挙げられる。また、ユーザが操作部１２０を通じて入力した設定値も、画像処理装置の状態を構成する一部となる。具体的には、カラー設定、濃度設定などの印刷時の印刷に関する設定やコピー部数等の設定である。
【００５４】
次にステップＳ６０２において、ＣＰＵ１０１は、コピーの実行が可能か否かを判定する。ステップＳ６０１で検出した画像処理装置の状態が内部エラー（例えば「トナー無し」「ドラム寿命切れ」「ユーザの設定したサイズの用紙が無い」）である場合、コピーの実行が不可能と判定され、ステップＳ６０５に進む（図中ｎｏ）。一方、判定の結果、ステップＳ６０１で検出した画像処理装置の状態が正常である場合は、コピーの実行が可能と判断され、ステップＳ６０３に進む（図中ｙｅｓ）。
【００５５】
ステップ６０３において、ＣＰＵ１０１は、スタートキー２０３を有効とし、二色ランプ２３４を緑色に点灯する。次にステップ６０４においてＣＰＵ１０１は、画像処理装置の状態に応じた内容（例えば「コピーできます。」）をメッセージフィールド５１０に表示する。ステップＳ６０４の後、図４（ｂ）のフローチャートが終了する。
【００５６】
ステップＳ６０５において、ＣＰＵ１０１は、スタートキー２０３を無効とし、二色ランプ２３４を赤色に点灯させる。次にステップＳ６０６においてＣＰＵ１０１は、画像形成装置の状態に応じた内容（例えば「用紙がありません。」）をメッセージフィールド５１０に表示する。ステップＳ６０６の後、図４（ｂ）のフローチャートが終了する。
【００５７】
次に、図４（ｃ）を用いて通常モードにおけるコピーのフローチャートを説明する。ステップＳ６０７において、ＣＰＵ１０１は、ユーザによってスタートキー２０３が押されたことを検出する。
【００５８】
次にステップＳ６０８において、ＣＰＵ１０１はスタートキー２０３が押されたことによる、コピー開始指示の受け付けが有効か無効かを判定する。このときＣＰＵ１０１は、図４（ｂ）で行ったフローチャートの結果を参照する。判定の結果、ＣＰＵ１０１は、スタートキー２０３が有効であればステップＳ６０９に処理を進め（図中ｙｅｓ）、無効であればステップＳ６１０に処理を進める（図中ｎｏ）。
【００５９】
ステップＳ６０９において、ＣＰＵ１０１は、コピーを開始する指示をスキャナコントローラ１０５およびプリンタコントローラ１０７に出す。このとき、原稿はスキャナ１０６から読み込まれ、読み込まれた原稿の画像データが生成され、生成された画像データがプリンタ１０８で印刷される。ステップＳ６０９を終えるとフローチャートが終了する。
【００６０】
ステップＳ６１０においてＣＰＵ１０１は、コピーを開始しない。このとき、メッセージフィールドには、例えば「コピーできません。」等の機器の状態に応じた内容を表示する。なお、ステップ６１０におけるメッセージフィールドの表示は、ステップＳ６０６で表示されたメッセージが表示されたままであってもよい。Ｓ６１０の後、フローチャートが終了する。
【００６１】
次に図５を用いて、本実施例の音声モードにおける操作画面の一例およびフォーカス移動表の一例を示す。
【００６２】
図４（ａ）の状態でユーザが音声モードキー２３３を押すと、音声モードが開始され、図５（ａ）の状態となる。図５（ａ）は、音声モードにおいてコピーを行う場合の画像処理装置の操作部１２０の一例である。本実施例における音声モードでは、ユーザは「フォーカス」を用いてＭＦＰを操作する。フォーカスは、表示部１２１に表示された複数のソフトキーまたは非操作部のうち、ユーザの操作によっていずれか１つに移動されるものである。
【００６３】
図５（ａ）には、例としてカラー選択５０２にフォーカス５２１の位置を合わせた場合の画面である。ここでは、フォーカス５２１とカラー選択５０２とを重ねて表示することで強調表示したが、フォーカスの表示方法はこれに限られない。例えば対象のソフトキーの外枠の色を変える、対象のソフトキーの色を変える、対象のソフトキーの外枠の形状を変える等でもよい。また、フォーカスは視覚的に表示しなくてもよい。例えば、フォーカスの位置の変更は装置内で保存され、表示部１２１に対して表示変更を行わなくてもよい。
【００６４】
次に、フォーカスの移動について図５（ｂ）を用いて説明する。図５（ｂ）に本実施例で使用するフォーカス移動表の例を模式的に示す。フォーカス移動表６０１は、フォーカスが移動する順序と、フォーカスの位置が合ったソフトキーを押した際に詳細設定を行うために新たに開く詳細ダイアログに含まれるソフトキーを示している。また、新たに開いた詳細ダイアログに含まれるソフトキーに対するフォーカスの位置を移動する順番を示している。
【００６５】
ここでは１列目および２列目のみを説明する。フォーカス移動表６０１は、ＲＯＭ１０２もしくはＨＤＤ１１０に保持され、プログラム実行時にＲＡＭ１０３に読み込まれる。フォーカス移動表６０１の１列目（「フォーカスが配置されたソフトキー」の列）はダイアログの識別子である。フォーカス移動表６０１の各行は１列目に示されたダイアログに対するフォーカス移動順を示す。
【００６６】
フォーカス移動表６０１の２列目（「詳細ダイアログに含まれるソフトキー」の列）は、１列目に記されたダイアログ上におけるソフトキーの識別子が列挙され、フォーカス移動順を示している。
【００６７】
例えば、フォーカス移動表６０１の１行目は、ダイアログ５１２上でのフォーカス移動順を示している。すなわち、ダイアログ５１２上ではフォーカスは「カラー選択」→「倍率」→「用紙選択」→…の順に移動する。さらに、例えば、フォーカスされた「カラー選択」のソフトキーを押した場合には、２列目のカラー選択５０２の詳細ダイアログが開き、カラー選択５０２の詳細ダイアログ上ではフォーカスの位置は、「自動カラー」→「フルカラー」→…の順に移動する。
【００６８】
次に図６（ａ）を用いて、画像処理装置を音声モードおよび通常モードに設定する際のフローチャートを説明する。
【００６９】
ステップＳ６１１において、ＣＰＵ１０１はユーザによって音声モードキー２３３が押されたことを検出する。
【００７０】
ステップＳ６１２において、ＣＰＵ１０１はステップＳ６１１の前の状態が音声モードであったか通常モードであったかを判定する。ＣＰＵ１０１はステップＳ６１１の前の状態が音声モードであった場合（図中ｙｅｓ）には、ステップＳ６１７へ進む。ＣＰＵ１０１はステップＳ６１１の前の状態が通常モードであった場合（図中ｎｏ）には、ステップＳ６１３へ進む。
【００７１】
ステップＳ６１７では、ＣＰＵ１０１は音声モードから通常モードに設定を変える。このとき、ＣＰＵ１０１は音声出力制御部３０９によって音声モードを終了する旨のメッセージをスピーカ１１８から出力する。音声モードを終了する旨のメッセージは、あらかじめ録音された音声であってもよいし、音声テキストデータ３１２から取得した音声テキストデータを基に音声合成発声データ制御部３０８が音声波形データを作成してもよい。あるいは、ビープ音やサウンドデータのようなものでもよい。
【００７２】
次にステップＳ６１８において、ＣＰＵ１０１はフォーカス５２１の表示を消去する。
このとき、例えばフォーカス５２１の表示をソフトキーの表示形態を変更することで表現している場合には、ソフトキーを通常の表示形態に戻す。ステップＳ６１８を終えると、通常モードとなる。
【００７３】
ステップＳ６１３において、ＣＰＵ１０１は通常モードから音声モードに設定をかえる。そして、ステップＳ６１３において、ＣＰＵ１０１は音声出力制御部３０９によってスピーカ１１８から音声モードを開始する旨のメッセージを出力する。音声モードを開始する旨のメッセージは、あらかじめ録音された音声であってもよいし、音声テキストデータ３１２から取得した音声テキストデータを基に音声合成発声データ制御部３０８が音声波形データを作成してもよい。あるいは、ビープ音やサウンドデータのようなものでもよい。
【００７４】
次にステップＳ６１４で、最初にフォーカスが表示される位置である初期位置として設定された所定のソフトキーにフォーカスが合う。以下では、図５（ｂ）で説明したフォーカス移動表６０１を用いて説明する。図５（ｂ）のフォーカス移動表６０１によれば、初期位置はカラー選択５０２となる。
【００７５】
ステップＳ６１５において、ＣＰＵ１０１は、図５（ａ）に示すようにカラー選択５０２にフォーカス５２１を表示する。次にステップＳ６１６において、スピーカ１１８がカラー選択５０２に関して音声で報知する。報知の内容は、カラー選択５０２の名称だけでもよいし、機能の解説を行ってもよい。例えば、「カラー選択キー、カラーモードの選択を行います。」というような音声をスピーカが出力する。
【００７６】
ステップＳ６１６を終えると、初期フォーカス位置における音声の案内が終了する。なお、Ｓ６１６以降、フォーカスの位置の変更の指示度に、フォーカスの移動と、新たにフォーカスが合ったソフトキーに関する機能の読み上げを繰り返す。本発明におけるフォーカス位置の変更方法については、後述の図９で説明する。
【００７７】
次に図６（ｂ）を用いて、ソフトキーの詳細設定をする際のフローチャートについて説明する。図６（ｂ）では、カラー選択５０２にフォーカス５２１の位置が合った状態で、「５」キー２０６５が押された場合について説明する。図６（ｂ）のフローチャートは、図６（ａ）のＳ６１６の処理を行った後のフローチャートである。なお、Ｓ６１６のソフトキーの読み上げの終了を待つ必要はなく、ソフトキーの読み上げの途中で図６（ｂ）のフローチャートに示す処理が並行して行われてもよい。
【００７８】
ステップＳ７０２において、「５」キー２０６５が押されることで、ＣＰＵ１０１は、カラー選択５０２の詳細設定を開始する。
【００７９】
ステップＳ７０３において、ＣＰＵ１０１は、カラー選択５０２の詳細設定を行う詳細ダイアログ（不図示）をＬＣＤ１１５に表示させる。そして、ＣＰＵ１０１は、詳細ダイアログ上に、図５（ｂ）の表で例として示した各ソフトキー（自動カラー、フルカラー、白黒、単色カラー、２色カラー、ＯＫキー、キャンセルキー）を表示する。
【００８０】
ステップＳ７０４において、ＣＰＵ１０１は、ダイアログオープン時の音声の案内をスピーカ１１８から出力する。具体的には、例えば「カラー選択の詳細設定画面です。」のように、何のソフトキーの詳細ダイアログの名称かを音声で案内するのがよい。
【００８１】
ステップＳ７０５において、ＣＰＵ１０１は、ステップ７０４でオープンしたダイアログに表示されたソフトキーに対する初期フォーカス位置にフォーカスの位置を合わせる。ステップＳ７０５は、ステップＳ６１４と同様の処理となる。具体的には、図５（ｂ）に示すように自動カラーのソフトキーにフォーカスを合わせる。
【００８２】
ステップＳ７０６およびステップＳ７０７において、ＣＰＵ１０１は、図６（ａ）のステップＳ６１５およびステップＳ６１６と同様の処理を行い、Ｓ７０２のように「５」キー２０６５を押すことで詳細設定を行う。
【００８３】
ステップＳ７０７を終えると、詳細ダイアログにおける初期位置にフォーカスの位置が合った場合の音声の案内が終了する。なお、フォーカスの位置を変更する度に、ステップＳ７０５〜ステップＳ７０７を繰り返し、詳細設定が終了した際に詳細ダイアログを閉じる。本発明におけるフォーカスの位置の変更方法については、後述の図９で説明する。
【００８４】
次に、図７（ａ）、（ｂ）を用いて従来の音声モードにおけるコピー実行時のフローチャートおよび従来の課題を説明する操作部の一例について説明する。
【００８５】
ステップＳ６０７、ステップＳ６０８、ステップＳ６０９は、図４（ｃ）と同様であるため説明を省略する。
【００８６】
ステップＳ６２２において、ＣＰＵ１０１は、スピーカ１１８を介してコピー実行中である旨を音声の案内をする。例えば、「コピー中です。」といった内容の音声をスピーカ１１８が出力する。ステップＳ６２２を終えると、図７（ａ）のフローチャートが終了する。
【００８７】
ステップＳ６２３において、ＣＰＵ１０１は、コピーを開始する指示を出さない。そして、ＣＰＵ１０１は、スピーカ１１８を介してコピーを開始できないことを音声の案内をする。例えば、「コピー開始できません。」といった内容の音声をスピーカ１１８が出力する。ステップＳ６２３を終えると、図７（ａ）のフローチャートを終了する。
【００８８】
このように、従来は、音声モードであってもスタートキー２０３を用いて、コピーの開始を指示していた。つまり、図７（ａ）に示すように音声モードであっても、コピーを実行するためには、それまでフォーカスを移動させるために操作していたテンキーから手を離して、スタートキー２０３を押す必要がある。そのため目に不自由なユーザは、コピーを実行するために、ハードテンキー部２０６から手を離してスタートキー２０３を探すことが必要となるおそれがある。
【００８９】
そこで図８を用いて、課題を解決するための操作部の一例および課題を解決するためのコピーのフローチャートについて説明する。
【００９０】
図８を用いて、本実施例の音声モードにおける操作画面の一例およびコピー手順のフローチャートの一例を示す。本実施例では、図４の５０２〜５０９のいずれのソフトキーにもフォーカスの位置が合っていない状態で「５」キー２０６５を押すことで、コピーのジョブ処理を開始することが可能である。この動作について以下で説明する。
【００９１】
図８（ａ）は、本実施例の音声モードにおいてコピーを行う場合の画像処理装置の操作画面の一例である。図８（ａ）は、図４（ａ）の操作画面中のダイアログ５１２にフォーカス５３１を合わせた場合の画面の例である。ここでは、ダイアログ５１２にフォーカス５３１の位置を合わせた構成を示したが、ユーザの操作を受け付けない領域にフォーカスの位置が合えばよい。具体的には、例えばダイアログ５０１、メッセージフィールド５１０である。
【００９２】
図８（ａ）においてダイアログ５１２に対するフォーカス５３１の表示は、ダイアログ５１２の外周に沿ってフォーカス表示用の太枠を重ねて表示してもよいし、ダイアログ５１２の表示形態を変更して表示してもよい。またはダイアログに対するフォーカスの表示方法とソフトキーに対するフォーカスの表示方法とを異なるものにしてもよい。
【００９３】
具体的には、例えばソフトキーにフォーカスの位置が合った場合には枠線を重ねて表示し、ダイアログにフォーカスの位置が合った場合には、ダイアログにハッチングをかける等である。なお、これに限られず、ソフトキーにフォーカスの位置を合わせるときの枠線と、ダイアログにフォーカスの位置を合わせるときの枠線の形状や太さを変えてもよい。または、フォーカスを表示部１２１に表示せずに、ＲＡＭ１０３で状態を保存するだけでもよい。
【００９４】
図８（ｂ）を用いて本実施例の音声モードにおいてコピーのジョブ処理を行う場合のフローチャートについて説明する。
【００９５】
ステップＳ６２４において、ＣＰＵ１０１は、ユーザによって「５」キー２０６５が押されたことを検出する。
【００９６】
ステップＳ６２５において、ＣＰＵ１０１は、フォーカスの位置が合った領域がダイアログ５１２か否かをフォーカス制御部３０２が判定する。判定の結果、フォーカスの位置が合った領域がダイアログ５１２であれば処理をステップＳ６２６へ進め（図中ｙｅｓ）、そうでなければ処理をステップＳ６２７に進める（図中ｎｏ）。Ｓ６２７に処理を進める場合は、画面に表示された、押すことが可能なソフトキーのうちのいずれかにフォーカスが合った状態である場合である。
【００９７】
ステップＳ６２７は、ソフトキーにフォーカスの位置が合った状態で、「５」キー２０６５が押された際の処理を示し、フォーカスの位置が合ったソフトキーの機能の詳細設定を行う。ここでは例としてカラー選択５０２の詳細設定を行う場合について説明する。
【００９８】
このとき、ユーザが「５」キー２０６５を押すと、画面表示部のカラー選択５０２が押されたときと同様にカラー選択設定のための詳細ダイアログ（不図示）が開く。そして、開いた詳細ダイアログに表示されたソフトキーにフォーカスの位置が合う。詳細ダイアログに表示されたソフトキーにフォーカスの位置が合った状態で、「５」キー２０６５を押すことで詳細設定を行う。このときのフローチャートは図６（ｂ）と同様である。
【００９９】
なお、カラー選択５０２以外のソフトキーであってもよい。また、ソフトキーの代わりに部数入力フィールドにフォーカスの位置を合わせ、印刷部数の詳細設定を行ってもよい。ステップＳ６２７を終えると、図８（ｂ）のフローチャートが終了する。
【０１００】
次に、ステップＳ６２５において、フォーカス対象がダイアログであると認定された場合（画面に表示された、押すことが可能なソフトキーのいずれにもフォーカスが合っていない状態であると判定された場合）について説明する。
【０１０１】
ステップＳ６２５からステップＳ６２６に処理を進めた場合、ステップＳ６２６において、ＣＰＵ１０１は「５」キー２０６５が押されることによる、コピー開始指示の受け付けが有効か無効かを判定する。このときＣＰＵ１０１は、図４（ｂ）で行ったフローチャートの結果を参照する。ただし、図４（ｂ）では、スタートキー２０３を有効または無効にしたが、ここでは、「５」キー２０６５を有効または無効にする。判定の結果、ＣＰＵ１０１は、「５」キー２０６５が有効であればステップＳ６２８に処理を進め（図中ｙｅｓ）、無効であればステップＳ６２９に処理を進める（図中ｎｏ）。
【０１０２】
ステップＳ６２８において、ＣＰＵ１０１は、コピーを開始する指示をスキャナコントローラ１０５およびプリンタコントローラ１０７に出す。このとき、原稿はスキャナ１０６から読み込まれ、読み込まれた原稿の画像データが生成され、生成された画像データがプリンタ１０８で印刷される。そして、ステップＳ６３０において、ＣＰＵ１０１は、スピーカ１１８を介して、例えば「コピー実行中です」等の印刷中である旨の音声を出力する。ステップＳ６３０の後、フローチャートが終了する。
【０１０３】
ステップＳ６２９においてＣＰＵ１０１は、コピーを開始しない。このとき、ＣＰＵ１０１は、スピーカ１１８を介して、例えば「コピーできません。」等の機器の状態に応じた内容の音声を出力する。ステップＳ６２９の後、フローチャートが終了する。
【０１０４】
ステップ６２６において、ダイアログにフォーカスが設定される順序は、初期位置であってもよいし、後述するように、テンキー操作によって、フォーカスを移動させ、ダイアログにフォーカスの位置を合わせてもよい。
【０１０５】
つまり、図８（ｂ）に示すようにダイアログにフォーカスの位置が合った状態で、「５」キー２０６５が押されることでスタートキー２０３が押されることと同様の処理を行うことが可能である。
【０１０６】
このように、本実施例の構成によれば非操作部にフォーカスの位置が合った状態で、テンキーの「５」を押すことでコピーを実行する。そのため、音声モードにおいて、コピーを実行する（ジョブ処理をする）際にテンキーから手を離す必要がない。そのため目に不自由なユーザが、テンキーから手を離してスタートキーを探すことが不要となる。
【０１０７】
次に本実施例において図９は、フォーカスの位置をダイアログに合わせるためのフォーカス移動方法を示すフローチャートを示す。図９は、図５（ｂ）のフォーカス移動表に記載されたソフトキーへのフォーカスの移動が終了した後にダイアログ５１２にフォーカスの位置が合う。なお、図９において、フォーカスを表示する工程は省略されている。
【０１０８】
音声モードにおいて、テンキーの「４」キー２０６４および「６」キー２０６６にはフォーカスの位置を移動させる機能が割り当てられる。ユーザがテンキーの「４」キー２０６４または「６」キー２０６６を少なくとも１回押すことで図５（ａ）の状態からフォーカスを移動させ、図８（ａ）ダイアログ５１２を選択することが可能である。
【０１０９】
本実施例においてユーザが「６」キー２０６６を押した場合には、図５（ｂ）のフォーカス移動表６０１において、順序に沿って（１つ先）にフォーカスが移動する。また、「４」キー２０６４を押した場合には、図５（ｂ）のフォーカス移動表６０１において、順序の逆に沿って（１つ前）にフォーカスが移動する。
【０１１０】
フォーカス移動表６０１に記録されたフォーカス順序の最後のソフトキーにフォーカスが合った状態で、ユーザが「６」キー２０６６を押すと、ダイアログ５１２にフォーカスの位置が合う。
【０１１１】
同様に、フォーカス移動表６０１に記録されたフォーカス順序の最初のソフトキーにフォーカスの位置が合った状態で、ユーザが「４」キー２０６４を押すと、ダイアログ５１２にフォーカスの位置が合う。
【０１１２】
まずは、図９（ａ）を用いて、ユーザが「６」キー２０６６を押した場合のフローチャートを説明する。
【０１１３】
ステップＳ６４０において、ＣＰＵ１０１は、ユーザによって「６」キー２０６６が押されたことを検出する。
【０１１４】
次にステップＳ６４１において、ＣＰＵ１０１は、ステップＳ６２５と同様の処理を行う。判定の結果、「６」キー２０６６が押される前のフォーカスの位置がダイアログである場合には、処理をステップＳ６４９に進め（図中ｙｅｓ）、そうでなければ処理をステップＳ６４２に進める（図中ｎｏ）。
【０１１５】
ステップＳ６４２において、フォーカスの位置が合ったソフトキーがフォーカス移動表６０１に示したフォーカス順序の最後のソフトキーであるか否かを判定する。フォーカス順序の最後のソフトキーであれば処理をステップＳ６４６に進め（図中ｙｅｓ）、否であれば処理をステップ６４３に進める（図中ｎｏ）。
【０１１６】
ステップＳ６４３において、ＣＰＵ１０１は、「６」キー２０６６が押される前のフォーカスの位置から次のソフトキーにフォーカスの位置を合わせる。そして、ステップＳ６４５において、ＣＰＵ１０１は、図６（ａ）のステップＳ６１５およびステップＳ６１６と同様の処理を行う。ステップＳ６４５を終えると、ユーザが「６」キー２０６６を押したときの処理を終了する。
【０１１７】
ここでのフォーカスの移動の具体例を示す。例えば「６」キー２０６６が押される前にカラー選択５０２にフォーカスの位置が合わされている場合に、「６」キー２０６６が押された後は、次のソフトキーの倍率５０３にフォーカスの位置が合わされる。そこで、カラー選択５０２に対するフォーカスを消去し、倍率５０３に対してフォーカスを表示させる。
【０１１８】
ステップＳ６４６において、ＣＰＵ１０１は、ダイアログに対してフォーカスの位置を合わせる。ステップ６４８において、ＣＰＵ１０１は、フォーカスを表示し、スピーカ１１８を介してステップＳ６４６でフォーカスの位置が合ったダイアログに関して報知する音声の案内を行う。報知の内容は、ダイアログにフォーカスの位置が合ったことを伝えるだけでもよいし、例えば「コピーを開始しますか」など、ジョブ処理の開始をするか否かを確認するような音声の案内でもよい。
【０１１９】
または、ダイアログに紐付けられたハードキーを押すことでどのようなジョブ処理を行うかを説明する音声の案内でもよい。例えば、ダイアログ５１２にフォーカスの位置が合わされた場合に、ＣＰＵ１０１は、スタートキー２０３に関するジョブ処理の音声の案内として「「５」キーでコピーを開始します。」というような音声の案内をスピーカ１１８から出力する。さらに、ＲＡＭ１０３に保持された、図４（ｂ）に示されるスタートキーが押されたときの可否判定処理の結果を参照し、「５」キー２０６５が押されたことが無効である場合には「コピースタートできません。」と音声出力してもよい。
【０１２０】
ステップＳ６４８を終えると、ユーザによって「６」キー２０６６が押されたときの処理が終了する。
【０１２１】
ステップ６４９は、「６」キー２０６６が押される前にダイアログにフォーカスの位置が合った状態であり、押された後、ＣＰＵ１０１は、初期位置のソフトキーにフォーカスの位置を合わせる。そして、ＣＰＵ１０１は、図６（ｂ）のＳ７０６と同様の処理を行う。
【０１２２】
ステップＳ６５１において、ＣＰＵ１０１は、スピーカ１１８からビープ音を出力する。ビープ音を出力することにより、ユーザはフォーカスの位置が初期位置に合ったことを知ることができる。なお、ビープ音ではなく「初期フォーカス位置。」等の音声の案内を出力してもよい。
【０１２３】
次にステップＳ６５２において、図６（ｂ）のステップ７０７と同様の処理を行う。ステップＳ６５２を終えると、ユーザに「６」キー２０６６が押された場合の処理が終了する。
【０１２４】
次に図９（ｂ）を用いて、ユーザによって「４」キー２０６４が押された場合のフローチャートを説明する。
【０１２５】
ステップＳ６５３において、ＣＰＵ１０１は、ユーザによって「４」キー２０６４が押されたことを検出する。次にステップＳ６５４において、ＣＰＵ１０１は、ステップＳ６４１と同様の処理を行う。判定の結果、「４」キー２０６４が押される前のフォーカスの位置がダイアログである場合には、処理をステップＳ６６４に進め（図中ｙｅｓ）、そうでなければ処理をステップＳ６５５に進める（図中ｎｏ）。
【０１２６】
ステップＳ６５５において、ＣＰＵ１０１は、フォーカスの位置が初期位置のソフトキーに合っているか否かを判定する。初期位置のソフトキーであれば処理をステップＳ６６１に進め（図中ｙｅｓ）、否であれば処理をステップ６５６に進める（図中ｎｏ）。
【０１２７】
ステップＳ６５７において、ＣＰＵ１０１は、フォーカス移動表６０１で示したフォーカス順序において、「４」キー２０６４が押される前のフォーカスの位置から、前のソフトキーにフォーカスの位置が合う。また、ステップＳ６５７において、ＣＰＵ１０１は、図６（ａ）のステップＳ６１５と同様の処理を行う。
【０１２８】
ここでフォーカスの移動の具体例を示す。例えば、「４」キー２０６４が押される前にカラー選択５０２にフォーカスが合っていた場合に、「４」キー２０６４が押された後は、ダイアログにフォーカスを表示させる。
【０１２９】
ステップＳ６５８において、ＣＰＵ１０１は、ステップＳ６５７でフォーカスの位置が合ったソフトキーがフォーカス移動表６０１に記録された初期位置のソフトキーであるか否かを判定する。フォーカスの位置が合ったソフトキーが初期位置のソフトキーであれば処理をステップＳ６５９に進め（図中ｙｅｓ）、そうでなければ処理をステップＳ６６０に進める（図中ｎｏ）。
【０１３０】
そして、ステップＳ６５９において、ＣＰＵ１０１は、図９（ａ）のステップＳ６５１と同様の処理を行う。また、ステップＳ６６０では、ステップＳ６５２と同様の処理を行う。ステップＳ６６０を終えると、ユーザによって「４」キー２０６４が押された場合の処理を終了する。
【０１３１】
ステップＳ６６１において、ＣＰＵ１０１は、ダイアログにフォーカスの位置を合わせ、ステップＳ６６３において、ＣＰＵ１０１は、ステップＳ６４７およびステップＳ６４８と同様の処理を行う。ステップＳ６６３を終えると、ユーザによって「４」キー２０６４が押された場合の処理が終了する。
【０１３２】
ステップＳ６６４において、「４」キー２０６４が押される前にダイアログにフォーカスが合った状態であり、「４」キー２０６４が押されることでダイアログに対するフォーカスの表示を消去する。そして、フォーカス移動表６０１に記録されたフォーカス順序の最終位置のソフトキーにフォーカスが合う。
【０１３３】
テップＳ６６６において、ＣＰＵ１０１は、図９（ｂ）のステップＳ６４３およびステップＳ６４５と同様の処理を行う。ステップＳ６６６を終えると、ユーザによって「４」キー２０６４が押された場合の処理が終了する。
【０１３４】
以上説明したように、本実施例によれば、画像処理装置のユーザは、ダイアログにフォーカスが合った状態で、「５」キー２０６５を押すことによってスタートキー２０３を押したときと同等の操作を行うことが可能となる。さらに、画像処理装置のユーザは、「４」キー２０６４および「６」キー２０６６を操作してフォーカスを移動させ、フォーカスの位置をダイアログに合わせることが出来る。
【０１３５】
このような構成によれば、ユーザはハードテンキー部２０６から手の位置を移動することなく、スタートキー２０３が押されたときと同等の処理結果を得ることができる。
【０１３６】
なお、本実施例において音声モードを起動したときにフォーカスの初期位置（Ｓ６１４でフォーカスがあてられる位置）は、ダイアログではない方がよい。例えば、上述したように、フォーカスの初期位置をカラー選択５０２とする。これにより、ダイアログオープン直後あるいは音声モードの開始直後にユーザが誤って「５」キー２０６５を押してしまい、ジョブ処理が開始されてしまう可能性を軽減することが可能である。
【０１３７】
また、本実施例のダイアログにフォーカスがあてられる順序は、フォーカスの初期位置から、「４」キー２０６４または「６」キー２０６６を１度押したときにフォーカスが合う位置がよい。こうすることで、音声モードの開始直後であって、初期位置にフォーカスが位置する状態で、ユーザが「４」キー２０６４または「６」キー２０６６を押し、その後に「５」キー２０６５を押すことでコピーを開始することができる。上記の誤操作を防止しつつ、最小限の操作ステップ数でコピーを開始できるようになっている。
【０１３８】
なお本実施例では、フォーカス移動表６０１に記録されたフォーカス順序にダイアログを含めず、フローチャートの中でダイアログに対するフォーカスの位置を合わせるものとして説明した。これに対し、フォーカス移動表６０１に記録されたフォーカス順序にダイアログが含まれてもよい。その場合には、フォーカス移動表６０１のダイアログの順序は最後がよい。この場合には、ユーザが「４」キー２０６４を押し、その後に「５」キー２０６５を押すことでコピーを開始する。これにより上述したように誤操作を防止しつつ、最小限の操作ステップ数でコピーを開始することが可能となる。
【０１３９】
なお、音声モードにおいてＣＰＵ１０１は、「５」キー２０６５にスタートキーの機能を割り当てた。さらに、ＣＰＵ１０１は、「６」キー２０６６にフォーカスを順序に沿って（１つ先）に移動させる機能を割り当て、「４」キー２０６４にフォーカスを順序の逆に沿って（一つ前）に移動させる機能を割り当てた。ただし、これに限るものではなく、ハードテンキー部２０６に含まれるその他のハードキーに各機能を割り当ててもよい。
【０１４０】
また、本実施例の画像処理装置では、コピーのジョブ処理を行う例を示したが、原稿を読み取って、読み取った原稿の画像データを送信するスキャンのジョブ処理を行う場合にも対応することが可能である。
【０１４１】
（実施例２）
図１０を用いて本実施例の画像処理装置を説明する。図１０（ａ）は、本実施例におけるフォーカス移動表を示し、図１０（ｂ）は、本実施例におけるフォーカス対象のダイアログと処理内容の対応表を示し、図１０（ｃ）は、本実施例のフォーカス対象のダイアログに対応した処理のフローチャートを示す。図１〜９と同様の機能を有する部分には同様の符号を付し、詳細な説明を省略する。
【０１４２】
本実施例は、実施例１で説明したダイアログの他の非操作部にフォーカスの位置が合った状態で、「５」キー２０６５が押した場合のジョブ処理について説明する。
【０１４３】
本実施例で使用するフォーカス移動表の例を図１０（ａ）の９０２に示す。フォーカス移動表６０１とフォーカス移動表９０２の違いは、フォーカス移動順に複数の非操作画面（例えばダイアログ５０１とメッセージフィールド５１０）が含まれる点である。なお、実施例１のように、フォーカス移動順に非操作画面が含まれていなくてもよい。その場合には、フォーカス移動表の順番に沿ってフォーカスが移動した後、ＣＰＵ１０１がＨＤＤ１１０から読み出したプログラムに従って、フォーカスの移動を行う。
【０１４４】
次に、図１０（ｂ）において、複数の非操作画面の各々がフォーカスの位置が合った状態で「５」キー２０６５が押された際に行う処理の対応表を示す。
【０１４５】
本実施例では、ダイアログ５０１またはダイアログ５１２にフォーカスの位置が合った状態で「５」キー２０６５を押すことでジョブ処理を行う。ここでジョブ処理とは、例えばコピーの開始である。
【０１４６】
また、メッセージフィールド５１０にフォーカスの位置が合った状態で「５」キー２０６５を押すことによって、ジョブ処理と異なる処理を行う。異なる処理とは、例えばリセットである。リセットとは、それまでに設定画面を用いて設定されたジョブの設定をクリアし、初期の状態に戻すことである。さらに、各ソフトキーを押した際に表示される詳細ダイアログにフォーカスが合った状態で「５」キー２０６５を押すことで、ジョブ処理と異なる処理（リセット）を行う。
【０１４７】
なお、本実施例は、図１０（ｂ）においてコピーの開始およびリセットを行う例を示したが、これら以外の処理内容でもよい。
【０１４８】
各非操作画面がフォーカスされた状態で「５」キー２０６５が押されたときに行うジョブ処理またはジョブ処理と異なる処理は、必ずしも図１０（ｂ）に示した処理内容に限られない。
【０１４９】
図１０（ｃ）を用いて、本実施例におけるフローチャートを説明する。ステップＳ８０１において、ＣＰＵ１０１は、ユーザによって「５」キー２０６５が押されたことを検出する。次に、ステップＳ８０２において、ＣＰＵ１０１は、フォーカスの位置が合った領域がソフトキーか否かを判定する。
【０１５０】
判定の結果、ＣＰＵ１０１は、フォーカスの位置が合った領域がソフトキーであれば処理をステップＳ８０５へ進め（図中ｙｅｓ）、そうでなければ処理をステップＳ８０３に進める（図中ｎｏ）。ソフトキーか否かは種別によって決定する。例えば、キーおよび数値入力フィールドをソフトキー操作可能と判定し、上述した非操作部は操作不能と判定する。
【０１５１】
ステップＳ８０３において、ＣＰＵ１０１は、ソフトキーとハードキーの対応表９０３を参照し、フォーカスの位置が合ったソフトキーに対応する処理内容を取得する。例えば、フォーカスの位置が合った領域がダイアログであれば、コピーのジョブ処理を行う。フォーカスの位置が合った領域がメッセージフィールド５１０であれば、リセットの処理を行う。フォーカスの位置が合った領域がカラー選択５０２の詳細ダイアログであれば、リセットの処理を行う。
【０１５２】
次に、ステップＳ８０４で、ステップＳ８０３で取得した処理内容の処理を実行する。処理内容がスタートである場合には、ＣＰＵ１０１は、図８（ｂ）のＳ６２６、Ｓ６２８〜Ｓ６３０と同様の処理を行う。また、対応するジョブ処理がリセットである場合には、ＣＰＵ１０１は、リセットキー２０５が押されたときと同じ処理を行う。ステップＳ８０４の後、図１０（ｃ）のフローチャートが終了する。
【０１５３】
ステップＳ８０５において、ＣＰＵ１０１は、図８（ｂ）のＳ６２７と同様の処理を行う。本実施例によれば、複数の非操作部の各々に、異なる処理内容を割り当てることができる。これにより、操作部１２０に配されている複数のハードキー（例えば、リセットキー２０５、スタートキー２０３）について、ハードテンキー部２０６から手の位置を大きく移動することなく、各種のハードキーを押したときと同等の処理結果を得ることができる。
【０１５４】
また、本実施例は、図１０（ｂ）に示した対応表９０３を適宜変更可能である。これにより、非操作画面にフォーカスの位置が合った状態で「５」キー２０６５が押されたときの処理を、表示された画面毎に柔軟に切り替えることが可能となる。
【０１５５】
（その他の実施例）
以上、本発明の様々な実施例を示して説明したが、本発明の趣旨と範囲は、本明細書内の特定の説明に限定されるものではない。
【０１５６】
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１５７】
２０６  ハードテンキー部
１２０  表示部
２０６４  ハードキー
２０６５  ハードキー
２０６６  ハードキー
【図１】
2018174499.tif 000003
【図２】
2018174499.tif 000004
【図３】
2018174499.tif 000005
【図４】
2018174499.tif 000006
【図５】
2018174499.tif 000007
【図６】
2018174499.tif 000008
【図７】
2018174499.tif 000009
【図８】
2018174499.tif 000010
【図９】
2018174499.tif 000011
【図１０】
2018174499.tif 000012